(57)【特許請求の範囲】
【請求項１】
ベース部材にフローティング手段を介して保持され且つ記録再生手段を有するドライブプレートとこのドライブプレートに前記記録再生手段側に移動可能に保持されたカートリッジホルダとを有するドライブユニットと、
前記ドライブユニットの前記カートリッジホルダ内にディスクカートリッジを挿入することにより当該ディスクカートリッジを引き込んで、前記記録再生手段側に移動させるローディング手段と、
前記ディスクカートリッジの記録再生後に前記ディスクカートリッジを排出するイジェクト手段と、
前記ディスクカートリッジの記録再生から前記ディスクカートリッジの排出に至る過程で前記ドライブユニットを前記ベース部材にロックするロック手段と、
前記ディスクカートリッジのローディング中に前記ロック手段によるロックを解除するロック解除手段とを備えたディスクプレーヤーであって、
前記ローディング手段を、前記カートリッジホルダに挿入された前記ディスクカートリッジを把持するキャッチ部材と、このキャッチ部材を引き込み前記ディスクカートリッジを前記記録再生手段側に移動させるローディングアームと、前記ベース部材に設けられた回転駆動系の駆動で回転して前記ローディングアームを回動作動させ且つ前記ディスクカートリッジのローディング終了時に前記ローディングアーム側から切り離されるスイングアームとで構成したことを特徴とするディスクプレーヤー。
【請求項２】
スイングアームに、このスイングアームの回転中心と同軸にギヤを固着し、このギヤをローディングモータの出力ギヤにギヤ列を介して連係してスイングアームの回転駆動系を構成し、前記スイングアームと前記回転駆動系とをドライブユニットの一辺の外方に配置した請求項１に記載のディスクプレーヤー。
【請求項３】
スイングアームに、ギヤ列のギヤとの干渉を避けるための切欠部を設けた請求項２に記載のディスクプレーヤー。
【請求項４】
ロック手段を、ドライブユニットの周辺部をロックする複数の周辺ロック手段と、前記ドライブユニットの全体を押える弾性ロック手段とで構成した請求項１に記載のディスクプレーヤー。
【請求項５】
周辺ロック手段を、スイングアームの回転によりデイスクカートリッジのローディング方向に対して直角方向に移動するモードプレートに設けられ且つこのモードプレートの移動時にドライブユニット側のロック部に係脱可能に係合するモードプレート側ロック部と、前記モードプレートの移動により前記ローディング方向に移動する一方のロックプレートに設けられ且つこのロックプレートの移動時に前記ドライブユニット側の一方のサイドロック部に係脱可能に係合する一方のロックプレート側ロック部と、前記モードプレートの移動により前記ローディング方向に移動する他方のロックプレートに設けられ且つこのロックプレートの移動時に前記ドライブユニット側の他方のサイドロック部に係脱可能に係合する他方のロックプレート側ロック部と、前記ロックプレートの移動により前記ローディング方向に対して直角方向に移動するフロントロックプレートに設けられ且つこのフロントロックプレートの移動時に前記ドライブユニットの一辺を押える押え部材とで構成した請求項４に記載のディスクプレーヤー。
【請求項６】
弾性ロック手段を、ローディング手段のスイングアームの回転で回動するサブローディングアームと、ローディングアームとをドライブユニット側に同一支点で回動可能に取り付け、前記ローディングアームに、前記サブローディングアームに対して所定の回動を許容する回動許容手段を設け、前記サブローディングアームの先側を前記ローディングアームの中間部にばね部材を介して連係して、当該ばね部材のばね力で前記サブローディングアームを前記所定の回動量一杯に回動させて前記ローディングアームに連動させて構成した請求項４又は請求項５に記載のディスクプレーヤー。
【発明の詳細な説明】
【０００１】
【発明の属する技術分野】
本発明は、情報を担う記録媒体（ミニディスク）の記録を再生するディスクプレーヤーに関するものである。
【０００２】
【従来の技術】
近年、ＣＤ及び保護用のカートリッジケースに記録記録用ディスクを収納した記録媒体で、光時磁気記録方式のミニディスクカートリッジ（ＭＤ）等の需要は高く、このようなディスクを再生するディスクプレーヤーの多様化が進んでおり、このディスクプレーヤーの薄型化が要請されている。
【０００３】
このようなディスクプレーヤーとして、図２６に示すようにディスクカートリッジ１４０のローディングを行うローディング用ローラ１５１を備えたものがあり、このローディング用ローラ１５１の駆動系１６０をドライブユニット１５３の後方から左側方に配置して、ディスクプレーヤーの薄型化を狙ったものがある。
【０００４】
すなわち、ローディング用ローラ１５１とこのローディング用ローラ１５１を駆動する回転伝達機構部１５２とをドライブユニット１５３の左側方に配置し、また、ローディングモータ１５４とギヤ列１５５とをドライブユニット１５３の後方に配置して、ローディングモータ１５４の出力側をギヤ列１５５及び回転伝達機構部１５２を介してローディング用ローラ１５１に連係している。
【０００５】
【発明が解決しようとする課題】
しかしながら、上記した従来のディスクプレーヤーにあっては、ローディング用ローラ１５１をドライブユニット１５３の左側方に配置したために、駆動源であるローディングモータ１５４からローディング用ローラ１５１に至る回転伝達系（ギヤ列１５５及び回転伝達機構部１５２）をドライブユニット１５３の後方から左側方に回り込ませる必要があって、部品点数が多く構造が複雑化し、ディスクプレーヤーの幅寸法Ｂが大きくなるという問題点があったし、また、ローディング用ローラ１５１を回転駆動することでディスクカートリッジ１５０のローディングを行うようにしてあるために、ローラスリップ等が発生し、ローディングスピードを一定以上早くすることができないという問題点があった。
【０００６】
また、従来のディスクプレーヤーにあっては、ドライブユニット１５３のフローティングロックは、剛体であるプレート同士を噛み合わせることにより行われていた。この剛体であるプレート同士のロックは、ある程度のクリアランスをもたせないとできないが、このクリアランスをもたせすぎると、ガタツキが多く発生し不安定なロックになり、これを避けるために、緩衝機構を付加すると部品点数が増加するという問題点があった。
【０００７】
本発明は、上記の問題点に着目して成されたものであって、その目的とするところは、部品点数が少なく構造が簡単になるし、また、幅寸法を小さくすることができるばかりか、ディスクカートリッジのローディングスピードを早くすることができるディスクプレーヤーを提供することにある。
【０００８】
【課題を解決するための手段】
上記の目的を達成するために、請求項１の発明に係るディスクプレーヤーは、ベース部材にフローティング手段を介して保持され且つ記録再生手段を有するドライブプレートとこのドライブプレートに記録再生手段側に移動可能に保持されたカートリッジホルダとを有するドライブユニットと、ドライブユニットのカートリッジホルダ内にディスクカートリッジを挿入することにより当該ディスクカートリッジを引き込んで、記録再生手段側に移動させるローディング手段と、ディスクカートリッジの記録再生後にディスクカートリッジを排出するイジェクト手段と、ディスクカートリッジの記録再生からディスクカートリッジの排出に至る過程でドライブユニットをベース部材にロックするロック手段と、ディスクカートリッジのローディング中にロック手段によるロックを解除するロック解除手段とを備えたディスクプレーヤーであって、ローディング手段を、カートリッジホルダに挿入されたディスクカートリッジを把持するキャッチ部材と、このキャッチ部材を引き込みディスクカートリッジを記録再生手段側に移動させるローディングアームと、ベース部材に設けられた回転駆動系の駆動で回転してローディングアームを回動作動させ且つディスクカートリッジのローディング終了時にローディングアーム側から切り離されるスイングアームとで構成したものである。
【０００９】
かかる構成により、ディスクカートリッジをドライブユニットのカートリッジホルダ内に挿入するとこのディスクカートリッジがキャッチ部材により掴まれ、回転駆動系を作動させてスイングアームを回動させ、このスイングアームの回転でローディングアームを回動させてキャッチ部材を介してディスクカートリッジを引き込み、このディスクカートリッジのローディングを行うのであるが、ローディングアームに回動動作を行わせるのに、回転するスイングアームを用いるために、ディスクカートリッジのローディングスピードを早くすることができ、また、ローディング用ローラを用いないために、このローディング用ローラの駆動のためのローディングモータ及び回転伝達系（ギヤ列及び回転伝達機構部）をドライブユニットの後方から左側方に回り込ませる必要がなくなり、部品点数が少なく構造が簡単になるし、ディスクプレーヤーの幅寸法を小さくすることができる。
【００１０】
また、上記の目的を達成するために、請求項２の発明に係るディスクプレーヤーは、請求項１に記載のディスクプレーヤーにおいて、スイングアームに、このスイングアームの回転中心と同軸にギヤを固着し、このギヤをローディングモータの出力ギヤにギヤ列を介して連係してスイングアームの回転駆動系を構成し、スイングアームと回転駆動系とをドライブユニットの一辺の外方に配置したものである。
【００１１】
かかる構成により、上記した請求項１の発明の作用効果と同様な作用効果を奏し得るばかりか、スイングアームに、このスイングアームの回転中心と同軸にギヤを固着したために、このスイングアームの回転駆動系においてスイングアームのガタツキがなくなり、このスイングアームに起因するガタツキによる作動誤差をなくすことができる。また、スイングアームと回転駆動系とをドライブユニットの一辺の外方に配置することで、ディスクプレーヤーの幅寸法を小さくすることができる。
【００１２】
また、上記の目的を達成するために、請求項３の発明に係るディスクプレーヤーは、請求項２に記載のディスクプレーヤーにおいて、スイングアームに、ギヤ列のギヤとの干渉を避けるための切欠部を設けた。
【００１３】
かかる構成により、上記した請求項１の発明の作用効果と同様な作用効果を奏し得るばかりか、スイングアームに、ギヤ列のギヤとの干渉を避けるための切欠部を設けることにより、スイングアームを支承部に回転可能に支承した後であっても、スイングアームを回動させて、その切欠部を、ギヤ列の一のギヤを支承する一の支承部側に向けると、この一の支承部にギヤ列の一のギヤをスイングアームに干渉させることなく支承することができ、また、スイングアームを回動させて、その切欠部を、ギヤ列の他のギヤを支承する他の支承部側に向けると、この他の支承部にギヤ列の他のギヤをスイングアームに干渉させることなく支承することができて、組立作業性を向上させることができる。
【００１４】
また、上記の目的を達成するために、請求項４の発明に係るディスクプレーヤーは、請求項１に記載のディスクプレーヤーにおいて、ロック手段を、ドライブユニットの周辺部をロックする複数の周辺ロック手段と、ドライブユニットの全体を押える弾性ロック手段とで構成した。
【００１５】
かかる構成により、上記した請求項１の発明の作用効果と同様な作用効果を奏し得るばかりか、ドライブユニットをベース部材にロックする場合に、ドライブユニットの周辺部（４辺部）を複数（４つ）の周辺ロック手段でロックし、また、弾性ロック手段でドライブユニットの全体を押えることができて、このドライブユニットのロックをガタツキなく安定した状態で行うことができる。
【００１６】
また、上記の目的を達成するために、請求項５の発明に係るディスクプレーヤーは、請求項４に記載のディスクプレーヤーにおいて、周辺ロック手段を、スイングアームの回転によりデイスクカートリッジのローディング方向に対して直角方向に移動するモードプレートに設けられ且つこのモードプレートの移動時にドライブユニット側のロック部に係脱可能に係合するモードプレート側ロック部と、モードプレートの移動によりローディング方向に移動する一方のロックプレートに設けられ且つこのロックプレートの移動時にドライブユニット側の一方のサイドロック部に係脱可能に係合する一方のロックプレート側ロック部と、モードプレートの移動によりローディング方向に移動する他方のロックプレートに設けられ且つこのロックプレートの移動時にドライブユニット側の他方のサイドロック部に係脱可能に係合する他方のロックプレート側ロック部と、ロックプレートの移動によりローディング方向に対して直角方向に移動するフロントロックプレートに設けられ且つこのフロントロックプレートの移動時に前記ドライブユニットを押える押え部材とで構成した。
【００１７】
かかる構成により、上記した請求項１の発明の作用効果と同様な作用効果を奏し得るばかりか、ドライブユニットをベース部材にロックする場合に、ドライブユニットをフロントロックプレートに設けた押え部材を押し当て、ドライブユニットの後側のロック部にモードプレート側ロック部を係脱可能に係合させ、ドライブユニットの一方のサイドロック部に一方のロックプレート側ロック部を係脱可能に係合させ、ドライブユニットの他方のサイドロック部に他方のロックプレート側ロック部を係脱可能に係合させて、ドライブユニットの四方をそれぞれロックすることができて、このドライブユニットのロックをガタツキなく安定した状態で行うことができる。
【００１８】
また、上記の目的を達成するために、請求項６の発明に係るディスクプレーヤーは、請求項４又は請求項５に記載のディスクプレーヤーにおいて、弾性ロック手段を、ローディング手段のスイングアームの回転で回動するサブローディングアームと、ローディングアームとをドライブユニット側に同一支点で回動可能に取り付け、ローディングアームに、サブローディングアームに対して所定の回動を許容する回動許容手段を設け、サブローディングアームの先側をローディングアームの中間部にばね部材を介して連係して、当該ばね部材のばね力でサブローディングアームを所定の回動量一杯に回動させてローディングアームに連動させて構成した。
【００１９】
かかる構成により、上記した請求項１の発明の作用効果と同様な作用効果を奏し得るばかりか、ディスクカートリッジのローディング時に、ローディング手段のスイングアームの回転で、サブローディングアームと連動してローディングアームが回動し、このローディングアームは最大回動位置まで回動して停止するが、更なるスイングアームの回転でサブローディングアームのみ回動許容手段により回動してばね部材を引張させる。このばね部材の引張によりスイングアームに対してサブローディングアーム及びローディングアームを固定することで、ドライブユニットの全体を押えることができて、このドライブユニットのロックをガタツキなく安定した状態で行うことができる。
【００２０】
【発明の実施の形態】
以下、本発明の実施の形態を図面に基づいて説明する。
【００２１】
図１は本発明に係るディスクプレーヤーの平面図、図２は同ディスクプレーヤーの正面図、図３は図１のＤ方向からの矢視図、図４は図１のＥ方向からの矢視図，図５は同ディスクプレーヤーのベースフレームユニットの分解状態の斜視図、図６は同ディスクプレーヤーのベースフレーム構造体の分解状態の拡大した斜視図である。なお、図面においてディスクプレーヤーの正面側を前側とし、この前側を基準に後側及び左、右側を矢印のように設定した。
【００２２】
本発明に係るディスクプレーヤーＡは、ベース部材であるベースフレーム１に後述するフローティング手段を介して保持され且つ記録再生手段８４を有するドライブプレート８１とこのドライブプレート８１に記録再生手段８４側に移動可能に保持されたカートリッジホルダ８３とを有するドライブユニット８０と、ドライブユニット８０のカートリッジホルダ８３内にディスクカートリッジ１４０を挿入することにより当該ディスクカートリッジ１４０を引き込んで、記録再生手段８４側に移動させるローディング手段であるローディング機構部８５と、ディスクカートリッジ１４０の記録再生後にディスクカートリッジ１４０を排出する後述するイジェクト手段と、ディスクカートリッジ１４０の記録再生からディスクカートリッジ１４０の排出に至る過程でドライブユニット８０をベースフレーム１にロックする後述するロック手段と、ディスクカートリッジ１４０のローディング中にロック手段によるロックを解除する後述するロック解除手段とを備えている。
【００２３】
ベースフレーム１は、図５乃至図６に示すように底面部１Ａと、この底面部１Ａを取り巻く周壁部１Ｂとを有しており、この周壁部１Ｂは、前、後側壁部１Ｃ、１Ｄと、左、右側壁部１Ｅ、１Ｆとで構成してあり、底面部１Ａには開口部２Ａが形成してあり、この底面部１Ａの開口部２Ａを挟んだ左右にはロックプレート取付部２Ｌ、２Ｒが形成してあり、底面部１Ａの前部がフロントロックプレート取付部３Ａに、底面部１Ａの後部が駆動系装着部３Ｂにそれぞれしてある。また、前側壁部１Ｃには挿入口形成部４とこの挿入口形成部４の左右に位置させて係止孔部５Ｌ、５Ｒ及びばね係止部６Ｌ、６Ｒが形成してある。
【００２４】
そして、左のロックプレート取付部２Ｌにはスライドピン６３Ｌ、６４Ｌとスライド孔部６３ー１Ｌとが、右のロックプレート取付部２Ｒにはスライドピン６３Ｒ、６４Ｒとスライド孔部６３ー１Ｒとがそれぞれ設けてあり、また、フロントロックプレート取付部３Ａにはスライド孔部６５Ａ、６５Ｂとスライドピン６６と支持ピン６６−１とが設けてある。
【００２５】
また、後側壁部１Ｄには、その上縁部の左右に位置させてばね係止部７Ｌ、７Ｒが形成してある。また、左側壁部１Ｅにはその前後に位置させてダンパー装着部８Ａ、９Ａが形成してあり、また、左側壁部１Ｅの上縁部の前後には取付座部１０Ａが形成してある。また、右側壁部１Ｆにはその前後に位置させてダンパー装着部８Ｂ、９Ｂが形成してあり、また、右側壁部１Ｆの上縁部の前後には取付座部１０Ｂが形成してある。
【００２６】
そして、駆動系装着部３には、図８に示す回転駆動系１１が装着してある。この回転駆動系１１は、ローディングモータ１２と、このローディングモータ１２の出力ギヤ１３に連係されてギヤ列１４とを備えており、ローディングモータ１２は後側壁部１Ｄにホルダー１５を介して保持されて駆動系装着部３に配置してあり、ローディングモータ１２の下面部と駆動系装着部３の上面部との間には、モードプレート４４を挿入するための隙間（図示せず）が形成してある。
【００２７】
ギヤ列１４は、駆動系装着部３の上面部に植設された第１〜第７のギヤ支承ピン（支承部）１６〜２２を有しており、第１のギヤ支承ピン１６には、同軸上に一体形成された第１、第２ギヤ２３、２４が回転可能に支承してあり、第２のギヤ支承ピン１７には同軸上に一体形成された第３、第４ギヤ２５、２６が回転可能に支承してあり、第３のギヤ支承ピン１８には同軸上に一体形成された第５、第６ギヤ２７、２８が回転可能に支承してある。
【００２８】
また、第４のギヤ支承ピン１９には同軸上に一体形成された第７、第８ギヤ２９、３０が回転可能に支承してあり、第５のギヤ支承ピン２０には同軸上に一体形成された第９、第１０ギヤ３１、３２が回転可能に支承してあり、第６のギヤ支承ピン２１には同軸上に一体形成された第１１、第１２ギヤ３３、３４が回転可能に支承してある。また、第７のギヤ支承ピン２２には、スイングアーム３６とこのスイングアーム３６に一体に固着されたラックギヤ３５が回転可能に支承してある。
【００２９】
そして、ローディングモータ１２の出力ギヤ１３は第１ギヤ２３に噛み合っており、第２ギヤ２４は第３ギヤ２５に、第４ギヤ２６は第５ギヤ２７に、第６ギヤ２８は第７ギヤ２９に、第８ギヤ３０は第９ギヤ３１に、第１０ギヤ３２は第１１ギヤ３３に、第１２ギヤ３４はラックギヤ３５にそれぞれ噛み合っている。
【００３０】
ラックギヤ３５は軸部３８を有しており、このラックギヤ３５とスイングアーム３６とは、図９に示すように、このラックギヤ３５の内孔３５ａにかしめピン３７を挿通させて、このかしめピン３７にスイングアーム３６の基部３６Ａに設けた孔部３６ａを嵌合し、かしめピン３７をかしめることによりラックギヤ３５の軸部３８側にスイングアーム３６が一体にしてある。そして、スイングアーム３６の基部３６Ａには円弧状の切欠部３９が形成してあり、スイングアーム３６の先部にはスライドピン１２８が設けてある。
【００３１】
ラックギヤ３５とスイングアーム３６とは、図１０に示すようにピン４０とワッシャ４１とを用いて組立てて一体化することができるが、この場合、ラックギヤ３５に対してスイングアーム３６のガタツキが生じて作動誤差が出る場合があり、このような不具合を解消するために上記したようにかしめにより一体化してある。
【００３２】
そして、ラックギヤ３５とスイングアーム３６とを一体化すると、第１０ギヤ３２と、第１２ギヤ３４との組み立てが不可能になるが、上記したようにスイングアーム３６の基部３６Ａに円弧状の切欠部３９を形成することにより、ラックギヤ３５とスイングアーム３６とを第７のギヤ支承ピン２２に支承した後であっても、スイングアーム３６を回転させて切欠部３９を第５のギヤ支承ピン２０側に向けることにより、この第５のギヤ支承ピン２０に第９、第１０ギヤ３１、３２を差し込むことができ、その後に、スイングアーム３６を回転させて切欠部３９を第６のギヤ支承ピン２１側に向けることにより、この第６のギヤ支承ピン２１に第１１、第１２ギヤ３３、３４を差し込むことができる。
【００３３】
前記ロック機構部４３は、モードプレート４４と左右のロックリンク４５Ｌ、４５Ｒと、左右のロックプレート４６Ｌ、４６Ｒと、フロントロックプレート４７と、連結リンク７５とを備えている。
【００３４】
モードプレート４４には、ロック溝部４９を有するロック爪部（モードプレート側ロック部）５０と、ラック取付部５１と、長孔状のガイド孔５２、５３、５４と、軸ピン５５、５６とが形成してあり、また、ラック取付部５１にはラックプレート５７が固着してある。そして、モードプレート４４は、第２、第４、第５のギヤ支承ピン１７、１９、２０に、そのガイド孔５２、５３、５４を挿入して、駆動系装着部３に左右方向に移動可能に設けてある。そして、ラックプレート５７にラックギヤ３５が噛み合っている。
【００３５】
また、左（一方）のロックプレート４６Ｌには左のロックブロック５８Ｌが固設してあり、このロックブロック５８Ｌには前方に向かって開口する左のロック溝部５９Ｌが形成してあり、これらで一方のロックプレート側ロック部を構成している。また、左のロックプレート４６Ｌには前後方向に沿う長孔状のガイド孔５８−１Ｌ、５９−１Ｌと、突起部６０Ｌとが設けてあり、また、左のロックプレート４６Ｌの前部にはＬ字形状の摺動孔部６１が、また、この中間部、後部にはスライドピン６２−１Ｌ、６２Ｌがそれぞれ設けてある。
【００３６】
また、右（他方）のロックプレート４６Ｒには右のロックブロック５８Ｒが固設してあり、このロックブロック５８Ｒには前方に向かって開口する右のロック溝部５９Ｒが形成してあり、これらで他方のロックプレート側ロック部を構成している。また、右のロックプレート４６Ｒには前後方向に沿う長孔状のガイド孔５８−１Ｒ、５９−１Ｒと、突起部６０Ｒとが設けてあり、また、右のロックプレート４６Ｒの中間部、後部にはスライドピン６２−１Ｒ、６２Ｒがそれぞれ設けてある。
【００３７】
そして、左のロックプレート４６Ｌは、ガイド孔５８−１Ｌ、５９−１Ｌにスライドピン６３Ｌ、６４Ｌを挿入すると共に、スライドピン６２−１Ｌをスライド孔部６３−１Ｌにそれぞれ挿入して左のロックプレート取付部２Ｌに前後方向（ディスクカートリッジのローディング方向）に移動可能に配置してあり、また、右のロックプレート４６Ｒは、ガイド孔５８−１Ｒ、５９−１Ｒにスライドピン６３Ｒ、６４Ｒを、スライドピン６２−１Ｒをスライド孔部６３−１Ｒにそれぞれ挿入して右のロックプレート取付部２Ｒに前後方向に移動可能に配置してある。
【００３８】
左のロックリンク４５Ｌは、その屈曲部に支点孔部４５Ａを、一端部にスライド孔部４５Ｂを、他端部に差し込み溝部６７がそれぞれ設けてある。そして、左のロックリンク４５Ｌは、支点孔部４５Ａを第７のギヤ支承ピン２２に嵌合して駆動系装着部３に回転可能に取り付けてあり、また、スライド孔部４５Ｂにはモードプレート４４のスライドピン５５が摺動可能に嵌合してあり、また、差し込み溝部６７が左のロックプレート４６Ｌのスライドピン６２Ｌに摺動可能に差し込んである。
【００３９】
また、右のロックリンク４５Ｒは、その屈曲部に支点孔部６８を、一端部にスライド孔部６９を、他端部に差し込み溝部７０がそれぞれ設けてある。そして、右のロックリンク４５Ｒは、支点孔部６８を、駆動系装着部３に設けたスライドピン６７に嵌合してこの駆動系装着部３に回転可能に取り付けてあり、スライド孔部６６にはモードプレート４４のスライドピン５６が摺動可能に嵌合してあり、また、差し込み溝部６７が右のロックプレート４６Ｒのスライドピン６２Ｒに摺動可能に差し込んである。
【００４０】
また、フロントロックプレート４７は、２本の押え部材であるロックピン７１を左右方向に一定の間隔をおいて担持しており、また、フロントロックプレート４７には、その裏側に突出するスライドピン７２Ａ、７２Ｂと、表側に突出するスライドピン７３と、左右方向に沿う長孔状のスライド孔部７４とが設けてある。そして、このフロントロックプレート４７は、そのスライドピン７２Ａ、７２Ｂをスライド孔部６５Ａ、６５Ｂに、スライド孔部７４にスライドピン６６をそれぞれ摺動可能に嵌合して、フロントロックプレート取付部３Ａに左右方向に移動可能に取り付けてある。
【００４１】
そして、左のロックプレート４６Ｌとフロントロックプレート４７とは連結リンク７５により連結してある。すなわち、連結リンク７５はく字形状をしており、この連結リンク７５はその屈曲部に孔部７７を有しており、また、一端部にはスライドピン７８が、他端部にはスライド孔部７９がそれぞれ設けてある。そして、連結リンク７５は、孔部７７を、フロントロックプレート取付部３Ａに設けた支持ピン６６−１に回転可能に取り付けてフロントロックプレート取付部３Ａの左端部に回転可能に設けてあり、連結リンク７５のスライドピン７８は左のロックプレート４６Ｌの摺動孔部６１に摺動可能に嵌合しており、また、連結リンク７５のスライド孔部７９がフロントロックプレート４７のスライドピン７３に摺動可能に嵌合してある。
【００４２】
そして、ダンパー装着部８Ａ、９Ａにはダンパー１３０−１Ｌ、１３０−２Ｌが、ダンパー装着部８Ｂ、９Ｂにはダンパー１３０−１Ｒ、１３０−２Ｒがそれぞれ装着してある。また、ベースフレーム１の左、右側壁部１Ｅ、１Ｆには、それぞれブラケット１３１Ｌ、１３１Ｒがねじ部材１３２により取り付けてある。これらのブラケット１３１Ｌ、１３１Ｒは、必要に応じてディスクプレーヤーＡを他の物体に取り付けるためのものであり、必ずしも必要ではない。
【００４３】
また、図７に示すように、ドライブユニット８０は、ドライブプレート８１と、左右のスライドプレート８２Ｌ、８２Ｒと、カートリッジホルダ８３とを備えており、ドライブプレート８１には記録再生手段８４が搭載してあり、カートリッジホルダ８３にはローディング手段であるローディング機構部８５が搭載してある。
【００４４】
ドライブプレート８１は左、右側壁部８６Ｌ、８６Ｒを有しており、この左側壁部８６Ｌの前後には保持ピン８７−１Ｌ、８７−２Ｌが、右側壁部８６Ｒの前後には、保持ピン８８−１Ｒ、８８−２Ｒがそれぞれ外方に向けて突設してある。また、左側壁部８６Ｌの前後には、その上縁部から下方に向かってスリット８９−１Ｌ、８９−２Ｌが、右側壁部８６Ｒの前後には、その上縁部から下方に向かってスリット８９−１Ｒ、８９−２Ｒがそれぞれ形成してある。また、左側壁部８６Ｌの後部にはスライドピン９１Ｌが、右側壁部８６Ｒの後部にはスライドピン９１Ｒがそれぞれ設けてある。
【００４５】
また、ドライブプレート８１の左、右側壁部８６Ｌ、８６Ｒの下縁部には中央に水平方向に位置させて一方及び他方のサイドロック部である左、右側被ロック爪部９２Ｌ、９２Ｒが外方に向けて突設してあり、また、ドライブプレート８１の後縁部にはロック部である後側被ロック爪部９３が設けてある。この後側被ロック爪部９３は垂直方向（上下方向）を向いており、その先端部に係合溝部９４が形成してある。
【００４６】
そして、ドライブプレート８１の面部には記録再生手段８４が設けてあり、この記録再生手段８４は、ターテーブル９５と、光ピックアップ９６とを備えており、この光ピックアップ９６はねじ送り機構部（図示せず）によりディスクカートリッジ１４０の半径方向に移動するものである。
【００４７】
また、左のスライドプレート８２Ｌは、図７に示すようにその前、後側スライド孔部９７−１Ｌ、９７−２Ｌと、前、後側の昇降用スライド孔部９８−１Ｌ、９８−２Ｌとを有しており、また、左のスライドプレート８２Ｌの下縁部の後部にはレバー部９９Ｌが突設してある。また、右のスライドプレート８２Ｒは、図７に示すようにその前、後側スライド孔部９７−１Ｒ、９７−２Ｒと、前、後側の昇降用スライド孔部９８−１Ｒ、９８−２Ｒとを有しており、また、右のスライドプレート８２Ｒの下縁部の後部にはレバー部９９Ｒが突設してある。
【００４８】
そして、左のスライドプレート８２Ｌは、その前側スライド孔部９７−１Ｌに保持ピン８７−１Ｌが、その後側スライド孔部９７−２Ｌにスライドピン９１Ｌがそれぞれ摺動可能に挿入された状態で、ドライブプレート８５の左側壁部８６Ｌの外側に前後方向及び上下方向に移動可能に取り付けてある。そして、左のスライドプレート８２Ｌは左のばね部材１２２Ｌにより後方に付勢してある。
【００４９】
また、右のスライドプレート８２Ｒは、その前側スライド孔部９７−１Ｒに保持ピン８７−１Ｒが、その後側スライド孔部９７−２Ｒにスライドピン９１Ｒがそれぞれ摺動可能に挿入された状態で、ドライブプレート８５の右側壁部８６Ｒの外側に前後方向及び上下方向に移動可能に取り付けてある。そして、右のスライドプレート８２Ｒは右のばね部材１２２Ｒにより後方に付勢してある（図１９参照）。
【００５０】
また、カートリッジホルダ８３は、図７及び図１３に示すようにその前面にカートリッジ挿入口形成部１００を有しており、このカートリッジ挿入口形成部１００の左、右側部には前後方向に沿うガイド部１０１Ｌ、１０１Ｒが形成してあり、右側のガイド部１０１Ｒの立壁部にはミニディスクＭＤであるカートリッジ１４０のシャッター解放用の爪１０２が設けてある。また、右側のガイド部１０１Ｒの立壁部の下縁部がスライドガイド１０３にしてある。また、カートリッジホルダ８３の面部には右側に寄せて前後方向に孔状のスライドガイド１０４が形成してある。
【００５１】
また、カートリッジホルダ８３には、その左側のガイド部１０１Ｌの立壁部の前後に位置させて左のガイドピン１０３−１Ｌ、１０３−２Ｌが突設してある。また、カートリッジホルダ８３には、その右側のガイド部１０１Ｒの外側に位置させてピンホルダ部１０４Ａが設けてあり、このピンホルダ部１０４Ａの前後に右のガイドピン１０３−１Ｒ、１０３−２Ｒが突設してある。
【００５２】
そして、カートリッジホルダ８３の内面側にローディング機構部８５が設けてある。このローディング機構部８５は、図１３に示すようにローディングアーム１０５と、サブローディングアーム１０６と、スライダー１０７と、キャッチ部材１０８と、スイッチリンク１０９とを有している。
【００５３】
そして、ローディングアーム１０５の基端部とサブローディングアーム１０６の基端部とは、カートリッジホルダ８３の左後端部に設けた支承部１１０に支承ピン１１１により回動可能に取り付けてあり、また、ローディングアーム１０５の基部にはストッパ部１１２が切り起こしてあり、中間部にはピン１１３が設けてあり、先端部にはスライド孔部１１４が形成してある。また、サブローディングアームの基部には孔部１１５と、ばね係止部１１６とが設けてある。そして、サブローディングアーム１０６は、その孔部１１５にストッパ部１１２が遊びをもって挿入して、ローディングアーム１０５に重ねてあり、サブローディングアーム１０６は、そのばね係止部１１６とピン１１３との間に渡したばね部材１１７により左方向に付勢されている。そして、孔部１１５とストッパ部１１２とばね係止部１１６とピン１１３とばね部材１１７とで回転許容手段を構成している。また、サブローディングアーム１０６の先端側にはスリット状の係合部１１８が形成してある。
【００５４】
また、スライダー１０７はカートリッジホルダ８３のスライドガイド１０４に摺動可能に取り付けてあり、このスライダー１０７にはスライドピン１１８Ａが設けてあり、スライダー１０７は、そのスライドピン１１８Ａをスライド孔部１１４に挿入して、ローディングアーム１０５の先側に連係してある。また、スライダー１０７にはキャッチ部材１０８が連結部材１１９により連結してあり、このキャッチ部材１０８はローディングアーム１０５のスライドガイド１０３に摺動可能に取り付けてある。
【００５５】
また、ローディングアーム１０５の中間部のピン１１３にはスイッチリンク１０９の基端部が回動可能に連結してあり、このスイッチリンク１０９の先部にはガイドピン１２０が設けてあり、このガイドピン１２０はカートリッジホルダ８３の円弧状のガイド孔部１２１に摺動可能に挿入してある。
【００５６】
このように構成されたカートリッジホルダ８３は、ドライブプレート８１に組み付けてある。すなわち、カートリッジホルダ８３は、その左のガイドピン１０３−１Ｌ、１０３−２Ｌを、ドライブプレート８１の左側壁部８６Ｌの前後のスリット８９−１Ｌ、８９−２Ｌに挿入すると共に、その左のガイドピン１０３−１Ｌ、１０３−２Ｌを、左のスライドプレート８２Ｌの前、後側の昇降用スライド孔部９８−１Ｌ、９８−２Ｌのそれぞれ摺動可能に挿入し、その右のガイドピン１０３−１Ｒ、１０３−２Ｒを、ドライブプレート８１の右側壁部８６Ｒの前後のスリット８９−１Ｒ、８９−２Ｒに挿入すると共に、その右のガイドピン１０３−１Ｒ、１０３−２Ｒを、右のスライドプレート８２Ｒの前、後側の昇降用スライド孔部９８−１Ｒ、９８−２Ｒのそれぞれ摺動可能に挿入してドライブプレート８１に組み付けてあって、これらでドライブユニット８０が構成してある。
【００５７】
ドライブユニット８０はフローティング手段を介してベースフレーム１に組み付けてある。すなわち、図１１の（１）、（２）に示すようにドライブユニット８０のドライブプレート８１の左の保持ピン８７−１Ｌ、８７−２Ｌはベースフレーム１の左の前後のダンパー１３０−１Ｌ、１３０−２Ｌに保持されており、また、ドライブユニット８０のドライブプレート８１の右の保持ピン８７−１Ｒ、８７−２Ｒはベースフレーム１の右の前後のダンパー１３０−１Ｒ、１３０−２Ｒに保持されており、ドライブプレート８１の左、右側部の前後に設けたばね係止部１２３−１Ｌ、１２３−２Ｌ、１２３−１Ｒ、１２３−２Ｒとベースフレーム１の左、右側部の前後に設けたばね係止部６Ｌ、７Ｌ、６Ｒ、７Ｒとには吊持用ばね部材１２５が掛け渡してあって、ドライブユニット８０はベースフレーム１に対して浮いた状態で組み付けてある。
【００５８】
この場合、カートリッジホルダ８３の前面のカートリッジ挿入口形成部１００とベースフレーム１の挿入口形成部４とでカートリッジ挿入口１３３が形成してある。
【００５９】
そして、ベースフレーム１の左、右側部の前部に設けたばね係止部１２６−１Ｌ、１２６−１Ｒと左右のロックブロック５８Ｌ、５８Ｒとの間にはばね部材１２７が掛け渡してある。また、図１３に示すように、スイングアーム３６のスライドピン１２８はサブローディングアーム１０６の先端側のスリット状の係合部１１８に摺動可能に挿入してある。また、左右のスライドプレート８２Ｌ、８２Ｒのレバー部９９Ｌ、９９Ｒは、左右のロックプレート４６Ｌ、４６Ｒの突起部６０Ｌ、６０Ｒの前縁部に接触している。また、スイッチリンク１０９の先端部（後端部）はスタート検出スイッチ１２９に摺接している。また、ベースフレーム１の上部には、取付座部１０Ａ、１０Ｂを用いてカバー部材１３９がねじ部材１３９ａで取り付けてある。
【００６０】
また、ロック手段は、ドライブユニット８０の周辺部をロックする４つの周辺ロック手段と、ドライブユニット８０の全体を押える弾性ロック手段とで構成してある。
【００６１】
周辺ロック手段は、スイングアーム３６の回転によりデイスクカートリッジ１４０のローディング方向に対して直角方向に移動するモードプレート４４に設けられ且つこのモードプレート４４の移動時にドライブユニット８０側に設けられた後側被ロック爪部９３に係脱可能に係合するモードプレート側ロック部であるロック爪部５０と、モードプレート４４の移動によりローディング方向に移動する左のロックプレート４６Ｌに設けられ且つこのロックプレート４６Ｌの移動時にドライブユニット８０側に設けられた一方のサイドロック部である左側被ロック爪部９２Ｌに係脱可能に係合する一方のロックプレート側ロック部であるロックブロック５８Ｌと、モードプレート４４の移動によりローディング方向に移動する右のロックプレート４６Ｒに設けられ且つこのロックプレート４６Ｒの移動時にドライブユニット８０側に設けられた他方のサイドロック部である右側被ロック爪部９２Ｒに係脱可能に係合する他方のロックプレート側ロック部であるロックブロック５８Ｒと、ロックプレート４６Ｌの移動により左右方向（ローディング方向に対して直角方向）に移動するフロントロックプレート４７に設けられ且つこのフロントロックプレート４７の移動時にドライブユニット８０の後部を押えるロックピン７１とで構成してある。
【００６２】
また、弾性ロック手段を、スイングアーム３６の回転で回動するサブローディングアーム１０６と、ローディングアーム１０５とをカートリッジホルダ８３側に同一支点で回動可能に取り付け、ローディングアーム１０５に、サブローディングアーム１０６に対して所定の回動を許容する回動許容手段を設け、サブローディングアーム１０６の先側をローディングアーム１０５の中間部にばね部材１１７を介して連係して、当該ばね部材１１７のばね力でサブローディングアーム１０６を所定の回動量一杯に回動させてローディングアーム１０５に連動させて構成してある。
【００６３】
なお、ディスクカートリッジ１４０のイジェクト動作は、ローディング動作の逆作動で行われるものであり、イジェクト手段はローディング手段としてのローディング機構部８５が兼用することになる。また、ロック解除手段によるロック解除はロック動作の逆作動で行われるものである。
【００６４】
次に、上記のように構成されたディスクプレーヤーの動作を説明する。
【００６５】
（ローディング動作）（ロック解除動作）
図１３に示すように、ミニディスクＭＤを内蔵したディスクカートリッジ１４０をカートリッジ挿入口１３３に挿入する。この時、シャッター解放用の爪１０２がディスクカートリッジ１４０のシャッター１４２に係合し、ディスクカートリッジ１４０がキャッチ部材１０８により掴まれる。
【００６６】
さらに、ディスクカートリッジ１４０を押し込むことにより、図１に示すようにディスクカートリッジ１４０の端部１４０ａをローディング開始位置イに位置させる。この場合、キャッチ部材１０８が押し込まれて、ローディングアーム１０５が反時計回り方向に回転して、スイッチリンク１０９が時計回り方向に回動して、このスイッチリンク１０９の先端部がスタート検出スイッチ１２９をオン作動させる。
【００６７】
このスタート検出スイッチ１２９のオン作動により、図１２、図１４に示すように回転駆動系１１のローディングモータ１２が回転駆動されて、このローディングモータ１２の出力ギヤ１３に連係するギヤ列１４を介してスイングアーム３６が時計回り方向に回転する。
【００６８】
図１５に示すように、スイングアーム３６の回転により、このスイングアーム３６のスライドピン１２８が係合部１１８内を摺動してサブローディングアーム１０６が反時計回り方向に回動し、ローディングアーム１０５が反時計回り方向に回転してキャッチ部材１０８が押し込まれてディスクカートリッジ１４０が引き込まれる。この場合、シャッター解放用の爪１０２がディスクカートリッジ１４０のシャッター１４２を開放する。
【００６９】
このようにして、ディスクカートリッジ１４０が所定位置（ローディング終了位置）に引き込まれると、図１６に示すようにスイングアーム３６のスライドピン１２８がサブローディングアーム１０６の係合部１１８より外れ、ドライブユニット８０が回転駆動系１１から切り離される。
【００７０】
スイングアーム３６が時計回り方向に回転することにより、図１７に示すように、このスイングアーム３６に一体化されたラックギヤ３５に噛み合うラック部材５７を介してモードプレート４４が左方向に移動する。
【００７１】
図１６に示すディスクカートリッジ１４０の引き込み完了まではモードプレート４４のスライドピン５５、５６は左右のロックリンク４５Ｌ、４５Ｒのスライド孔部４５Ｂ，６９を移動するだけで、ドライブプレート８１のロック解除は行わず、ディスクカートリッジ１４０の引き込み完了後、モードプレート４４のスライドピン５５、５６は左右のロックリンク４５Ｌ、４５Ｒを後方に回動させて左右のロックプレート４６Ｌ、４６Ｒをロック解除方向（後方）に移動させる（図１７、図１８参照）。
【００７２】
左右のロックプレート４６Ｌ、４６Ｒのロック解除方向（後方）への移動により、左右のスライドプレート８２Ｌ、８２Ｒがばね部材１２２Ｌ、１２２Ｒの力により引っ張られて後方に移動して、左右のスライドプレート８２Ｌ、８２Ｒの昇降用スライド孔部９８−１Ｌ、９８−２Ｌ、９８−１Ｒ、９８−２Ｒにガイドピン１０３−１Ｌ、１０３−２Ｌ、１０３−１Ｒ、１０３−２Ｒが案内されてカートリッジホルダ８３が下降し、ディスクカートリッジ１４０の装着が完了する。その後、さらに、左右のロックプレート４６Ｌ、４６Ｒがロック解除方向（後方）に移動し、ドライブプレート８１のロックが解除されてローディングが完了する（図１２、図１９参照）。
【００７３】
次に、ドライブユニット８０のフローティング状態からロック状態までの流れを説明する。
【００７４】
（ロック動作）（イジェクト動作）
スイングアーム３６が反時計回り方向に回転することにより、このスイングアーム３６に一体化されたラックギヤ３５に噛み合うラック部材５７を介してモードプレート４４が右方向に移動し、左右のロックリンク４５Ｌ、４５Ｒが回動する。左のロックリンク４５Ｌの回動により左のロックプレート４６Ｌが前方に移動し、また、右のロックリンク４５Ｒの回動により右のロックプレート４６Ｒが前方に移動する。また、左のロックプレート４６Ｌの前方への移動により連結リンク７５を介してフロントロックプレートート４７が右方向に移動に移動して、このフロントロックプレートート４７が担持する２本のロックピン７１がドライブプレート８１の前端部を押える（図２０、図２１参照）。
【００７５】
さらなるスイングアーム３６の反時計回り方向への回転により、左右のロックプレート４６Ｌ、４６Ｒが前方に移動し、ドライブプレート８１の左、右側被ロック爪部９１Ｌ、９１Ｒが、ロックプレート４６Ｌ、４６Ｒが担持するロックブロック５８Ｌ、５８Ｒのロック溝部５９Ｌ、５９Ｒに完全に挿入されて、ドライブプレート８１が左右のロックプレート４６Ｌ、４６Ｒに保持される。また、同時に、左右のスライドプレート８２Ｌ、８２Ｒが、そのレバー部９９Ｌ、９９Ｒで左右のロックプレート４６Ｌ、４６Ｒの突起部６０Ｌ、６０Ｒに押されてばね部材１２２Ｌ、１２２Ｒのばね力に抗して前方に移動し、左右のスライドプレート８２Ｌ、８２Ｒの昇降用スライド孔部９８−１Ｌ、９８−２Ｌ、９８−１Ｒ、９８−２Ｒにガイドピン１０３−１Ｌ、１０３−２Ｌ、１０３−１Ｒ、１０３−２Ｒが案内されてカートリッジホルダ８３が上昇する。この時、左右のスライドプレート８２Ｌ、８２Ｒの先端部（前端部）がベースフレーム１の前側壁部１Ｃの左右の係止孔５Ｌ、５Ｒに係脱可能に係止される。ここで、ロックリンク４５Ｌ、４５Ｒの回動動作は終了し、以後の動作は、モードプレート４４のスライドピン５５、５６がロックリンク４５Ｌ、４５Ｒのスライド孔部４５Ｂ、６９を移動して回転させない（図２３参照）。
【００７６】
次に、スイングアーム３６の反時計回り方向への回転により、このスイングアーム３６のスライドピン１２８はサブローディングアーム１０６の係合部１１８に入り込み、ローディングアーム１０５を回転し、ディスクカートリッジ１４０を排出させる。この時、モードプレート４４のロック爪部５０の係合溝部４９とドライブプレート８１の後側被ロック爪部９３の係合溝部９４とが互い係合してドライブプレート８１のロックが行われる（図２３参照）。
【００７７】
次に、スイングアーム３６の反時計回り方向への回転により、ローディングアーム１０５が回転して、スライダー１０７及びキャッチ部材１０８がカートリッジ排出終了位置まで移動する（図２４参照）。
【００７８】
さらに、スイングアーム３６の反時計回り方向への回転が続き、ローディングアーム１０５は最大可動位置まで移動しているため、停止したままで、サブローディングアーム１０６だけが回動しばね部材１１７が伸びる。そして、モードプレート４４がスイッチ１２９においてオフ動作位置を検出し、スイングアーム３６の回転が停止し、ドライブプレート８１のロック動作を完了する（図２５参照）。
【００７９】
この場合、このばね部材１１７の引張によりスイングアーム３６に対してサブローディングアーム１０６及びローディングアーム１０５を固定することで、ドライブユニット８０の全体を押えることができて、このドライブユニット８０のロックをガタツキなく行うことができる。
【００８０】
【発明の効果】
以上説明したように、請求項１の発明に係るディスクプレーヤーによれば、ディスクカートリッジをドライブユニットのカートリッジホルダ内に挿入するとこのディスクカートリッジがキャッチ部材により掴まれ、回転駆動源を作動させてスイングアームを回動させ、このスイングアームの回転でローディングアームを回動させてキャッチ部材を介してディスクカートリッジを引き込み、このディスクカートリッジのローディングを行うのであるが、ローディングアームに回動動作を行わせるのに、回転するスイングアームを用いるために、ディスクカートリッジのローディングスピードを早くすることができ、また、ローディング用ローラを用いないために、このローディング用ローラの駆動のためのローディングモータ及び回転伝達系（ギヤ列及び回転伝達機構部）をドライブユニットの後方から左側方に回り込ませる必要がなくなり、部品点数が少なく構造が簡単になるし、ディスクプレーヤーの幅寸法を小さくすることができる。
【００８１】
また、また、請求項２の発明に係るディスクプレーヤーによれば、上記した請求項１の発明の作用効果と同様な作用効果を奏し得るばかりか、スイングアームに、このスイングアームの回転中心と同軸にギヤを固着したために、このスイングアームの回転駆動系においてスイングアームのガタツキがなくなり、このスイングアームに起因するガタツキによる作動誤差をなくすことができる。
【００８２】
また、請求項３の発明に係るディスクプレーヤーによれば、上記した請求項１の発明の作用効果と同様な作用効果を奏し得るばかりか、スイングアームに、ギヤ列のギヤとの干渉を避けるための切欠部を設けることにより、スイングアームを支承部に回転可能に支承した後であっても、スイングアームを回動させて、その切欠部を、ギヤ列の一のギヤを支承する一の支承部側に向けると、この一の支承部にギヤ列の一のギヤをスイングアームに干渉させることなく支承することができ、また、スイングアームを回動させて、その切欠部を、ギヤ列の他のギヤを支承する他の支承部側に向けると、この他の支承部にギヤ列の他のギヤをスイングアームに干渉させることなく支承することができて、組立作業性を向上させることができる。
【００８３】
また、請求項４の発明に係るディスクプレーヤーによれば、上記した請求項１の発明の作用効果と同様な作用効果を奏し得るばかりか、ドライブユニットをベース部材にロックする場合に、ドライブユニットの周辺部（４辺部）を複数（４つ）の周辺ロック手段でロックし、また、弾性ロック手段でドライブユニットの全体を押えることができて、このドライブユニットのロックをガタツキなく行うことができる。
【００８４】
また、請求項５の発明に係るディスクプレーヤーによれば、上記した請求項１の発明の作用効果と同様な作用効果を奏し得るばかりか、ドライブユニットをベース部材にロックする場合に、ドライブユニットの前面部をフロントロックプレートに設けた押え部材を押し当て、ドライブユニットの後側のロック部にモードプレート側ロック部を係脱可能に係合させ、ドライブユニットの一方のサイドロック部に一方のロックプレート側ロック部係脱可能に係合させ、ドライブユニットの他方のサイドロック部に他方のロックプレート側ロック部を係脱可能に係合させて、ドライブユニットの四方をそれぞれロックすることができて、このドライブユニットのロックをガタツキなく行うことができる。
【００８５】
また、請求項６の発明に係るディスクプレーヤーによれば、上記した請求項１の発明の作用効果と同様な作用効果を奏し得るばかりか、ディスクカートリッジのローディング時に、ローディング手段のスイングアームの回転で、サブローディングアームと連動してローディングアームが回動し、このローディングアームは最大回動位置まで回動して停止するが、更なるスイングアームの回転でサブローディングアームのみ回動許容手段により回動してばね部材を引張させる。このばね部材の引張によりスイングアームに対してサブローディングアーム及びローディングアームを固定することで、ドライブユニットの全体を押えることができて、このドライブユニットのロックをガタツキなく行うことができる。
【図面の簡単な説明】
【図１】本発明に係るディスクプレーヤーの平面図である。
【図２】同ディスクプレーヤーの正面図である。
【図３】図１のＤ方向からの矢視図である。
【図４】図１のＥ方向からの矢視図である。
【図５】同ディスクプレーヤーのベースフレームユニットの分解状態の斜視図である。
【図６】同ディスクプレーヤーのベースフレーム構造体の分解状態の拡大した斜視図である。
【図７】同ディスクプレーヤーのドライブユニットの分解状態の斜視図である。
【図８】スイングアームの回転駆動系の平面図である。
【図９】スイングアームの斜視図である。
【図１０】（１）は他のスイングアームの平面図である。
（２）は同スイングアームの断面図である。
【図１１】（１）は本発明に係るディスクプレーヤーのカバー部材を外した状態の平面図である。
（２）は（１）のＦ部の横からみた説明図である。
【図１２】本発明に係るディスクプレーヤーにおけるローディング完了状態の説明図である。
【図１３】同ディスクプレーヤーにおけるローディング開始時の説明図である。
【図１４】同ディスクプレーヤーにおけるローディング途中の説明図である。
【図１５】同ディスクプレーヤーにおけるローディング途中の説明図である。
【図１６】同ディスクプレーヤーにおいてドライブユニットが駆動系から切り離された状態の説明図である。
【図１７】同ディスクプレーヤーにおけるドライブユニットのロック作動の説明図である。
【図１８】同ディスクプレーヤーにおけるドライブユニットのロック作動の説明図である。
【図１９】（１）、（２）は同ディスクプレーヤーにおけるスライドプレートの作動説明図である。
【図２０】同ディスクプレーヤーにおけるドライブユニットの前部のロック作動の説明図である。
【図２１】同ディスクプレーヤーにおけるドライブユニットの前部のロック作動の説明図である。
【図２２】同ディスクプレーヤーにおけるドライブユニットの両サイド部のロック作動の説明図である。
【図２３】同ディスクプレーヤーにおけるドライブユニットの後部のロック作動の説明図である。
【図２４】同ディスクプレーヤーにおいてディスクカートリッジ排出完了時からのドライブユニットロック作動の説明図である。
【図２５】同ディスクプレーヤーにおいてディスクカートリッジ排出完了時からのドライブユニットロック作動の説明図である。
【図２６】従来のディスクプレーヤーのカバー部材を外した状態の平面図である。
【符号の説明】
１    ベースフレーム（ベース部材）
２Ａ  開口部
３Ａ  ロックプレート取付部
３Ｂ  駆動系取付部
４    挿入口形成部
５Ｌ  係止孔部
５Ｒ  係止孔部
６Ｌ  ばね係止部
６Ｒ  ばね係止部
７Ｌ  ばね係止部
７Ｒ  ばね係止部
８Ａ  ダンパー装着部
８Ｂ  ダンパー装着部
９Ａ  ダンパー装着部
９Ｂ  ダンパー装着部
１０Ａ  取付座部
１０Ｂ  取付座部
１１    回転駆動系
１２    ローディングモータ
１３    出力ギヤ
１４    ギヤ列
１５    ホルダー
１６〜２２  第１〜第７のギヤ支承ピン（支承部）
２３〜３４  第１〜第１２ギヤ
３５    ラックギヤ
３６    スイングアーム
３７    かしめピン
３８    軸部
３９    切欠部
４３    ロック機構部（ロック手段）（周辺ロック手段）（弾性ロック手段）
４４    モードプレート
４５Ｌ  左のロックリンク
４５Ｒ  右のロックリンク
４６Ｌ  左のロックプレート（一方のロックプレート）
４６Ｒ  右のロックプレート（他方のロックプレート）
４７    フロントロックプレート
５０    ロック爪部（モードプレート側ロック部）
５７    ラックプレート
５８Ｌ  ロックブロック（一方のロックプレート側ロック部）
５８Ｒ  右のロックブロック（他方のロックプレート側ロック部）
６０Ｌ  左の突起部
６０Ｒ  右の突起部
７１    ストップピン（押え部材）
７５    連結リンク
８０    ドライブユニット
８１    ドライブプレート
８２Ｌ  左のスライドプレート
８２Ｒ  右のスライドプレート
８３    カートリッジホルダ
８４    記録再生手段
８５    ローディング機構部（ローディング手段）
９２Ｌ  左側被ロック爪部（一方のサイドロック部）
９２Ｒ  右側被ロック爪部（他方のサイドロック部）
９３    後側被ロック爪部（ロック部）
９５    ターンテーブル
９６    光ピックアップ
１００  カートリッジ挿入口形成部
１０１Ｌ  ガイド部
１０１Ｒ  ガイド部
１０２    爪
１０５    ローディングアーム
１０６    サブローディングアーム
１０７    スライダー
１０８    キャッチ部材
１０９    スイッチリンク
１１２    ストッパ部
１１３    ピン
１１５    孔部
１１７    ばね部材
１１８    係合部
１２２Ｌ  ばね部材
１２２Ｒ  ばね部材
１２８    スライドピン
１３３    カートリッジ挿入口
１３９    カバー部材
１４０    ディスクカートリッジ
【図１】
0004140672.tif 000002
【図２】
0004140672.tif 000003
【図３】
0004140672.tif 000004
【図４】
0004140672.tif 000005
【図５】
0004140672.tif 000006
【図６】
0004140672.tif 000007
【図７】
0004140672.tif 000008
【図８】
0004140672.tif 000009
【図９】
0004140672.tif 000010
【図１０】
0004140672.tif 000011
【図１１】
0004140672.tif 000012
【図１２】
0004140672.tif 000013
【図１３】
0004140672.tif 000014
【図１４】
0004140672.tif 000015
【図１５】
0004140672.tif 000016
【図１６】
0004140672.tif 000017
【図１７】
0004140672.tif 000018
【図１８】
0004140672.tif 000019
【図１９】
0004140672.tif 000020
【図２０】
0004140672.tif 000021
【図２１】
0004140672.tif 000022
【図２２】
0004140672.tif 000023
【図２３】
0004140672.tif 000024
【図２４】
0004140672.tif 000025
【図２５】
0004140672.tif 000026
【図２６】
0004140672.tif 000027